(57)【要約】      （修正有）【課題】機械装置の誤操作を防止する。【解決手段】操作設備の操作手順を示す手順コードを有する確認端末１２０と、操作設備の操作ができる状態に切り替えるための機構を操作できるように切り替える機能を備え、操作設備を示す設備コードを有し、設備コードと、確認端末から読み込まれる手順コードと、を照合する照合装置１３０と、確認端末は、照合装置において設備コードと手順コードとが合致したと判定された場合、機構を操作できるように切り替える。【選択図】図１
2019003294.tif 000002
【特許請求の範囲】
【請求項１】
第１操作設備の操作手順を示す第１手順コードと、前記第１操作設備の後に操作される第２操作設備の操作手順を示す第２手順コードと、を有する確認端末と、
前記第１操作設備の操作ができる状態に切り替えるための第１機構を操作できるように切り替える機能を備え、前記第１操作設備を示す第１設備コードを有し、前記第１設備コードと、前記確認端末から読み込まれる前記第１手順コードと、を照合する第１照合装置と、
前記第２操作設備の操作ができる状態に切り替えるための第２機構を操作できるように切り替える機能を備え、前記第２操作設備を示す第２設備コードを有し、前記第２設備コードと、前記確認端末から読み込まれる前記第２手順コードと、を照合する第２照合装置と、
を備え、
前記確認端末は、前記第１照合装置において前記第１設備コードと前記第１手順コードとが合致したと判定された場合、前記第２手順コードを読み出すように動作し、
前記第１照合装置は、前記第１設備コードと前記第１手順コードとが合致した場合、前記第１機構を操作できるように切り替え、
前記第２照合装置は、前記第２設備コードと前記第２手順コードとが合致した場合、前記第２機構を操作できるように切り替える
ことを特徴とする操作支援システム。
【請求項２】
第１操作設備の操作手順を示す第１手順コードと、前記第１操作設備の後に操作される第２操作設備の操作手順を示す第２手順コードと、を有する確認端末と、
前記第１操作設備の操作ができる状態に切り替えるための第１機構を操作できないように切り替える機能を備え、前記第１操作設備を示す第１設備コードを有し、前記第１設備コードと、前記確認端末から読み込まれる前記第１手順コードと、を照合する第１照合装置と、
前記第２操作設備の操作ができる状態に切り替えるための第２機構を操作できないように切り替える機能を備え、前記第２操作設備を示す第２設備コードを有し、前記第２設備コードと、前記確認端末から読み込まれる前記第２手順コードと、を照合する第２照合装置と、
を備え、
前記確認端末は、前記第１照合装置において前記第１設備コードと前記第１手順コードとが合致したと判定された場合、前記第２手順コードを読み出すように動作し、
前記第１照合装置は、前記第１設備コードと前記第１手順コードとが合致した場合、前記第１機構を操作できないように切り替え、
前記第２照合装置は、前記第２設備コードと前記第２手順コードとが合致した場合、前記第２機構を操作できないように切り替える
ことを特徴とする操作支援システム。
【請求項３】
前記所定の操作設備は、電気所に設置される設備である
ことを特徴とする請求項１に記載の操作支援システム。
【請求項４】
前記確認端末は、スマートフォンであり、
前記手順コードは、前記確認端末の表示部に表示されるＱＲコード（登録商標）である
ことを特徴とする請求項１乃至請求項３の何れか一項に記載の操作支援システム。
【請求項５】
前記第１手順コードおよび前記第２手順コードを作成するとともに、前記第１手順コードおよび前記第２手順コードを前記確認端末に送信する支援装置を
さらに備え、
前記確認端末は、前記支援装置から送信される前記第１手順コードおよび前記第２手順コードを受信する
ことを特徴とする請求項１乃至請求項４の何れか一項に記載の操作支援システム。
【請求項６】
前記確認端末は、スマートカードであり、
前記第１手順コードおよび前記第２手順コードは、前記確認端末のＩＣチップに格納されている
ことを特徴とする請求項１乃至請求項３の何れか一項に記載の操作支援システム。
【請求項７】
前記確認端末は、磁気カードであり、
前記第１手順コードおよび前記第２手順コードは、前記磁気カードに記録されている磁気データである
ことを特徴とする請求項１乃至請求項３の何れか一項に記載の操作支援システム。
【発明の詳細な説明】
【技術分野】
【０００１】
本発明は、操作支援システムに関する。
【背景技術】
【０００２】
例えば、ＩＣタグを利用した機械操作支援システムが知られている。（例えば特許文献１）。
【先行技術文献】
【特許文献】
【０００３】
【特許文献１】特開２０１０−１４００８５号公報
【発明の概要】
【発明が解決しようとする課題】
【０００４】
特許文献１には、固有の識別子が記憶されているＩＣタグを有する機械装置に、作業者の手に装着するリーダが触れることにより、リーダがＩＣタグの情報を読み込み、該機械装置の操作手順が適切であるか否かを判断し、その結果を表示させるシステムが開示されています。
【０００５】
しかし、特許文献１に係るシステムでは、ＩＣタグの情報を読み込むことにより、操作手順が適切であるか否かを判定できるものの、操作手順が適切でない場合であっても、該機械装置を操作することができるため、誤操作を生じる虞があった。
【課題を解決するための手段】
【０００６】
前述した課題を解決する主たる本発明は、第１操作設備の操作手順を示す第１手順コードと、前記第１操作設備の後に操作される第２操作設備の操作手順を示す第２手順コードと、を有する確認端末と、前記第１操作設備の操作ができる状態に切り替えるための第１機構を操作できるように切り替える機能を備え、前記第１操作設備を示す第１設備コードを有し、前記第１設備コードと、前記確認端末から読み込まれる前記第１手順コードと、を照合する第１照合装置と、前記第２操作設備の操作ができる状態に切り替えるための第２機構を操作できるように切り替える機能を備え、前記第２操作設備を示す第２設備コードを有し、前記第２設備コードと、前記確認端末から読み込まれる前記第２手順コードと、を照合する第２照合装置と、を備え、前記確認端末は、前記第１照合装置において前記第１設備コードと前記第１手順コードとが合致したと判定された場合、前記第２手順コードを読み出すように動作し、前記第１照合装置は、前記第１設備コードと前記第１手順コードとが合致した場合、前記第１機構を操作できるように切り替え、前記第２照合装置は、前記第２設備コードと前記第２手順コードとが合致した場合、前記第２機構を操作できるように切り替える。
【０００７】
本発明の他の特徴については、添付図面および本明細書の記載により明らかとなる。
【発明の効果】
【０００８】
本発明によれば、操作手順とおりに認証されることにより、操作対象機器のロックが解除され、認証されない場合には、操作対象機器のロックが解除されないため、誤操作を防止できる。
【図面の簡単な説明】
【０００９】
【図１】本実施形態に係る操作支援システムの構成の一例を示す図である。
【図２】本実施形態に係る操作手順票の一例を示す図である。
【図３】本実施形態に係る確認端末の一例を示す図である。
【図４】本実施形態に係る電気所の構成の一例を示す図である。
【図５】本実施形態に係る断路器への照合装置の配置例を示す図である。
【図６】本実施形態に係る遮断器への照合装置の配置例を示す図である。
【図７】本実施形態に係る操作支援システムの動作手順を示す図である。
【図８】本実施形態に係る確認端末の他の一例を示す図である。
【図９】本実施形態に係る確認端末の他の一例を示す図である。
【発明を実施するための形態】
【００１０】
本明細書および添付図面の記載により、少なくとも以下の事項が明らかとなる。以下の説明において、同一符号を付した部分は同一の要素を表し、その基本的な構成および動作は同様であるものとする。
【００１１】
＝＝＝操作支援システム１００＝＝＝
図１〜図６を参照しつつ、操作支援システム１００について、以下のとおり説明する。図１は、本実施形態に係る操作支援システム１００の構成の一例を示す図である。図２は、本実施形態に係る操作手順票１４０の一例を示す図である。図３は、本実施形態に係る確認端末１２０の一例を示す図である。図４は、本実施形態に係る電気所１０００の構成の一例を示す図である。図５は、本実施形態に係る断路器１１１０への第１照合装置１３０ａの配置例を示す図である。図６は、本実施形態に係る遮断器１１２０への第２照合装置１３０ｂの配置例を示す図である。
【００１２】
操作支援システム１００は、操作手順とおりに操作設備１１００を操作しなければロックを解除できないように作用し、誤操作を防止できるシステムである。なお、以下説明においては、一例として、電気所１０００における受変電設備に操作支援システム１００を適用した場合について説明するが、電気所１０００に限らず、操作順序が決められている設備に対して適用することができるものとする。
【００１３】
操作支援システム１００は、図１に示すように、例えば、支援装置１１０と、確認端末１２０と、照合装置１３０と、を含んで構成されている。
【００１４】
支援装置１１０は、確認端末１２０との間で操作手順票１４０などの情報を通信する装置である。支援装置１１０は、例えば中央制御所（不図示）に設置され、操作員により操作される。
【００１５】
確認端末１２０は、作業員が携帯し、手順コードを表示する操作端末である。確認端末１２０は、例えばスマートフォンである。手順コードとは、所定の操作手順に対応するＱＲコードである。つまり、各操作手順には、異なる手順コードが対応付けられている。
【００１６】
照合装置１３０は、手順コードと設備コードとを照合することにより、操作設備１１００を操作できる状態に切り替えるためのロック機構１１３０（第１，第２機構）を、操作できる状態と操作できない状態とに切り替える装置である。設備コードとは、照合装置１３０が配置される操作設備１１００に対応付けられたコードである。より具体的には、図２に示すように、例えばＡ断路器に設置される第１照合装置１３０ａの設備コードは、操作手順票１４０の手順コード１のＱＲコードと同一のＱＲコードを示す。
【００１７】
操作設備１１００とは、例えば断路器１１１０や遮断器１１２０である。そして、断路器１１１０におけるロック機構１１３０（以下、「第１ロック機構１１３１」と称する。）とは、図５に示すように、例えばインターロックを解除するための手動解除ピンである。また、遮断器１１２０におけるロック機構１１３０（以下、「第２ロック機構１１３２」と称する。）とは、図６に示すように、例えば手動切ハンドル挿入部である。なお、以下説明において、ロック機構１１３０と記載する場合は、第１ロック機構１１３１および第２ロック機構１１３２の両方を示すものとする。
【００１８】
作業員は、通常、操作設備１１００を操作できる状態に切り替えるために、断路器１１１０では手動解除ピンを上下させ、又、遮断器１１２０では手動切ハンドル挿入部にハンドルを挿入して操作する。つまり、照合装置１３０は、作業員が断路器１１１０の手動解除ピンや遮断器１１２０の手動切ハンドル挿入部に対して、操作できる状態と操作できない状態とを切り替える機能を有する。
【００１９】
操作支援システム１００を構成する支援装置１１０、確認端末１２０および照合装置１３０について、以下のとおり詳細に説明する。
【００２０】
＝＝支援装置１１０＝＝
図１、図２を参照しつつ、支援装置１１０について以下のとおり説明する。
【００２１】
支援装置１１０は、操作手順票１４０を作成するとともに、確認端末１２０に操作手順票１４０を送信する機能を有する。このような機能を有する支援装置１１０は、図１に示すように、演算処理部１１１と、記憶部１１２と、入力部１１３と、出力部１１４と、メモリ１１５と、を含んで構成されている。
【００２２】
演算処理部１１１は、例えばＣＰＵあるいはＭＰＵなどで構成されている。演算処理部１１１は、メモリ１１５に格納されているプログラムを読み出すことにより、各種機能を実現する。演算処理部１１１は、操作手順票１４０を作成する手順票作成部１１１ａを有する。
【００２３】
手順票作成部１１１ａは、操作手順票１４０を作成する機能を有する。操作手順票１４０は、図２に示すように、“予定”項目と、“実績”項目と、を含んで構成されている。“予定”項目は、例えば、操作手順を示す“操作手順”項目と、各操作手順において操作する内容を示す“操作内容”項目と、“操作手順”に対応付けられた手順コードを示す“手順コード”項目と、で構成されている。なお、“予定”項目は、操作対象である操作設備１１００および点検手順に応じて決定される。“実績”項目は、操作した操作手順を示す“操作手順”項目と、操作設備１１００を操作した内容を示す“操作内容”項目と、操作設備１１００を操作した時刻を示す“時刻”項目と、で構成さている。“実績”項目は、操作した実績に基づいて、確認端末１２０で入力される。
【００２４】
記憶部１１２は、プログラムや各種情報を記憶する装置である。記憶部１１２は、例えば、ＲＯＭ、ＲＡＭあるいはフラッシュメモリなどで構成されている。記憶部１１２には、少なくとも操作手順票１４０が記憶されている。入力部１１３は、確認端末１２０から出力される各種情報が入力されるインターフェイスである。出力部１１４は、確認端末１２０に各種情報を出力するためのネットワークインターフェイスである。メモリ１１５は、演算処理部１１１が処理するためのプログラムを格納する装置である。メモリ１１５は、例えば、ハードディスクドライブ、ＳＳＤあるいは光学式記憶装置などで構成されている。
【００２５】
＝＝確認端末１２０＝＝
図１〜図３を参照しつつ、確認端末１２０について以下のとおり説明する。
【００２６】
確認端末１２０は、手順コードを表示させる機能を有する。確認端末１２０は、例えばスマートフォンである。このような機能を有する確認端末１２０は、図１に示すように、演算処理部１２１と、記憶部１２２と、入力部１２３と、出力部１２４と、メモリ１２５と、表示部１２６と、を含んで構成されている。なお、確認端末１２０における演算処理部１２１、記憶部１２２、入力部１２３、出力部１２４およびメモリ１２５のハードウェア構成は、支援装置１１０における演算処理部１１１、記憶部１１２、入力部１１３、出力部１１４およびメモリ１１５のハードウェア構成と同じであるため、その説明を省略する。
【００２７】
演算処理部１２１は、図１に示すように、手順コードを後述する表示部１２６に表示させるコード読込部１２１ａを有する。コード読込部１２１ａは、記憶部１２２から、所定の操作手順に対応する手順コードを読み込んで、図３に示すように、該手順コードを表示部１２６に表示させる。表示された手順コードは、照合装置１３０のコード読取部１３５に読み取られる。
【００２８】
記憶部１２２は、操作手順票１４０および後述する照合装置１３０から入力される時刻情報を格納する機能を有する。図２に示すように、記憶部１２２に記憶される操作手順票１４０の“実績”項目には、照合装置１３０から入力部１２３を介して入力される照合結果および時刻情報が記録される。
【００２９】
表示部１２６は、手順コードを表示する機能を有する、例えば液晶ディスプレイである。図３に示すように、表示部１２６には、少なくとも、手順コードと、該手順コードに対応する操作内容と、が表示される。
【００３０】
＝＝照合装置１３０＝＝
図１、図４〜図６を参照しつつ、照合装置１３０について以下のとおり説明する。
【００３１】
照合装置１３０は、確認端末１２０の表示部１２６に表示される手順コードと、予め記憶されている設備コードと、を照合した結果に基づいて、操作設備１１００のロック機構１１３０が操作できる状態と操作できない状態とを切り替える機能を有する。
【００３２】
照合装置１３０は、図４に示すような電気所１０００の点検作業において、操作手順が定められている操作設備１１００のロック機構１１３０に設置されている。図５に示すように、断路器１１１０に設置されている照合装置１３０（以下、「第１照合装置１３０ａ」と称する。）は、例えば、断路器１１１０の手動解除ピン（第１ロック機構１１３１）が露出する開口を、後述する解除設定操作部１３６で塞ぐように配置されている。図６に示すように、遮断器１１２０に設置されている照合装置１３０（以下、「第２照合装置１３０ｂ」と称する。）は、例えば、遮断器１１２０の手動切ハンドル挿入部（第２ロック機構１１３２）を、解除設定操作部１３６で塞ぐように配置されている。なお、以下説明において、照合装置１３０と記載する場合には、第１照合装置１３０ａおよび第２照合装置１３０ｂの両方を示すものとする。また、照合装置１３０は、上記に限定されない。つまり、照合装置１３０は、上述したような断路器１１１０または遮断器１１２０のみに設置されるものではなく、所定の機構をロックする機構を有する設備に設置することができる。例えば、照合装置１３０は、電気所１０００のラインスイッチ２１００（図４の“Ｃ”および“Ｅ”）における機械式ロック機構（不図示）や電気式ロック機構（不図示）に設置することができる。
【００３３】
照合装置１３０は、演算処理部１３１と、記憶部１３２と、出力部１３３と、メモリ１３４と、コード読取部１３５と、解除設定操作部１３６と、表示部１３７と、を含んで構成されている。なお、演算処理部１３１、記憶部１３２、出力部１３３およびメモリ１３４のハードウェア構成は、支援装置１１０の演算処理部１１１、記憶部１１２、出力部１１３およびメモリ１１４のハードウェア構成と同様であるため、その説明を省略する。
【００３４】
演算処理部１３１は、図１に示すように、手順コードと記憶部１３２に予め格納されている設備コードとを照合する照合部１３１ａを有する。照合部１３１ａは、記憶部１３２から設備コードを取得する。また、照合部１３１ａは、後述するコード読取部１３５から手順コードを取得する。照合部１３１ａは、設備コードと手順コードとが合致するか否かを判定する。照合部１３１ａは、判定結果を示す判定情報を後述する解除設定操作部１３６および表示部１３７に出力する。
【００３５】
記憶部１３２は、設備コード、判定情報および時刻情報の夫々を対応付けて格納している。ただし、格納されるデータ形式は限定されるものではなく、適宜、入出力できるようなデータ形式であればよい。
【００３６】
コード読取部１３５は、確認端末１２０の表示部１２６に表示される手順コードを読み取る機能を有する。コード読取部１３５は、手順コードが表示された確認端末１２０の表示部１２６と向かい合った状態において、確認端末１２０から手順コードを読み込む。コード読取部１３５は、読み込んだ手順コードを照合部１３１ａに出力する。
【００３７】
解除設定操作部１３６は、照合部１３１ａから出力される判定情報に基づいて、ロック機構１１３０が操作できる状態と操作できない状態とを切り替える機能を有する。解除設定操作部１３６は、例えば開閉可能なスライド機構１３６ａを有する。解除設定操作部１３６は、ロック機構１１３０をスライド機構１３６ａで塞ぐように配置されている。
【００３８】
例えば、ロック機構１１３０を操作できる状態に移行する図２に示す操作手順１〜４において、判定情報が“合致”を示すとき、解除設定操作部１３６は、ロック機構１１３０を露出させるように、スライド機構１３６ａを動作させる。一方、判定情報が“非合致”を示すとき、解除設定操作部１３６は、ロック機構１１３０をスライド機構１３６ａで塞いだ状態を維持する。これにより、作業員による操作設備１１００の誤操作を防止できる。
【００３９】
例えば、ロック機構１１３０を操作できない状態に移行する図２に示す操作手順５以降において、判定情報が“合致”を示すとき、解除設定操作部１３６は、ロック機構１１３０を塞ぐように、スライド機構１３６ａを動作させる。一方、判定情報が“非合致”を示すとき、解除設定操作部１３６は、ロック機構１１３０を露出させた状態を維持する。
【００４０】
表示部１３７は、照合部１３１ａから入力される判定情報に基づいて、判定結果を表示させる機能を有する。表示部１３７は、例えば、ＬＥＤランプで構成される。判定結果が“合致”を示す場合、青のＬＥＤランプが点灯し、判定結果が“非合致”を示す場合、赤のＬＥＤランプが点灯する。ただし、表示部１３７は、ＬＥＤランプで構成されている必要はなく、例えば液晶モニタに判定結果を表示させるようなものであってもよい。
【００４１】
＝＝＝動作手順＝＝＝
図７を参照しつつ、操作支援システム１００の動作手順について説明する。図７は、本実施形態に係る操作支援システム１００の動作手順を示す図である。なお、図７は、ロック機構１１３０を解除して操作設備１１００を操作する動作手順を示すものであり、ロック機構１１３０を設定して操作設備１１００を操作する動作手順については、図７の“解除”を“設定”と読み替えて適用できるものとし、その説明を省略する。
【００４２】
まず、操作員は、支援装置１１０に操作設備１１００の操作手順を入力する。支援装置１１０は、入力された操作手順に基づいて操作手順票１４０を作成する（Ｓ１００）。なお、操作手順票１４０は、操作員の入力に基づいて作成されるものに限らず、記憶部１１２に予め記憶されているものであってもよい。この場合、操作員は、支援装置１１０に記憶されている操作手順票１４０を選択する。支援装置１１０は、作成または選択された操作手順票１４０を確認端末１２０に送信する（Ｓ１０１）。
【００４３】
次に、確認端末１２０は、操作手順票１４０を受信するとともに（Ｓ１０２）、記憶部１２２に操作手順票１４０を記憶する。確認端末１２０は、変数“ｋ”を“１”に設定する（Ｓ１０３）。“ｋ”は、操作手順の順番を示す数値である。確認端末１２０は、操作手順票１４０に記載されている操作手順に沿って処理を繰り返す（Ｓ１０４）。確認端末１２０は、記憶部１２２から操作手順ｋ（＝１）に対応する手順コードｋ（＝１）を読み出すとともに、表示部１２６に表示させる（Ｓ１０５）。
【００４４】
作業員は、操作手順ｋに対応する操作設備１１００に設置されている照合装置１３０のコード読取部１３５に、手順コードｋを表示する確認端末１２０の表示部１２６を重ね合わせる。コード読取部１３５は、手順コードｋを読み取る（Ｓ１０６）。照合装置１３０の照合部１３１ａは、コード読取部１３５で読み取った手順コードｋと、設置されている操作設備１１００に対応し、記憶部１３２に予め記憶されている設備コードｋと、を照合する（Ｓ１０７）。
【００４５】
照合部１３１ａが“非合致”と判定した場合（Ｓ１０７：非合致）、照合装置１３０は、解除設定操作部１３６を動作させず、ロック機構１１３０が操作できない状態を維持する（Ｓ１０８）。そして、照合装置１３０の表示部１３７に“非合致”であることを表示させる（Ｓ１０９）。作業員は、表示部１３７の表示を確認し、操作手順通りに操作できていないことが把握できる。これにより、誤操作を防止できる。
【００４６】
照合部１３１ａが“合致”と判定した場合（Ｓ１０７：合致）、照合装置１３０は、解除設定操作部１３６を動作させて、ロック機構１１３０を操作できる状態にする（Ｓ１１０）。照合装置１３０は、出力部１３３を介して“合致”と判定した時刻を示す時刻情報を確認端末１２０に送信する（Ｓ１１１）。そして、照合装置１３０の表示部１３７に、“合致”したことを表示させる（Ｓ１１２）。
【００４７】
確認端末１２０は、時刻情報を受信する（Ｓ１１３）とともに、記憶部１２２の操作手順票１４０に時刻情報を記録する（Ｓ１１４）。また、確認端末１２０は、時刻情報を受信すると同時に、操作手順票１４０の“実績”の“操作内容”に所定の操作内容を入力する。そして、確認端末１２０は、操作手順票１４０を支援装置１１０に送信する（Ｓ１１５）。確認端末１２０は、変数“ｋ”をインクリメントするとともに、“ｋ”が操作設備１１００の台数“ｎ”と等しくなるまでＳ１０５〜Ｓ１１６の動作手順を繰り返す（Ｓ１１６，Ｓ１１７）。これにより、作業員は、操作対象である全ての操作設備１１００を操作手順通りに操作することができる。
【００４８】
支援装置１１０は、確認端末１２０から操作手順票１４０を受信するとともに、記憶部１１２に操作手順票１４０を格納する（Ｓ１１８，Ｓ１１９）。操作員は、支援装置１１０の記憶部１１２に格納される操作手順票１４０を確認して、作業員による全ての操作設備１１００に対する操作が完了したことを確認できる。
【００４９】
＝＝＝その他の実施形態＝＝＝
上記において、操作支援システム１００は、支援装置１１０が含まれているとして記載したが、支援装置１１０は、操作支援システム１００に含まれていなくてもよい。この場合、確認端末１２０が操作手順票１４０を作成し、又は、記憶部１２２に操作手順票１４０を予め記憶していればよい。
【００５０】
上記において、照合装置１３０は、スライド機構１３６ａを有しているとして説明したが、スライド機構１３６ａを有していなくてもよい。この場合、例えば、断路器１１１０においては手動解除ピンが動作しないように手動解除ピンを固定するような機構が設けられていればよく、遮断器１１２０においては手動切ハンドル挿入部のシャッターが開かないように固定するような機構が設けられていればよい。さらに言うと、操作設備１１００のインターロック回路のリレーを制御するように作用する機構が設けられていてもよい。
【００５１】
上記において、確認端末１２０は、スマートフォンであるとして説明したが、これに限定されない。図８に示すように、確認端末２２０は、接触型または非接触型のスマートカードでもよい。この場合、確認端末２２０には、手順コードに相当する手順情報が記憶されている。照合装置２３０は、スマートカードがコード読取部２３５に接近または接触して、手順情報を読み込むことができる。照合装置２３０は、読み込んだ手順情報と設備コードとが合致するか否かを判定する。判定結果は、表示部２３７に表示される。なお、図８では、照合装置２３０の解除設定操作部を省略して示している。
【００５２】
上記において、確認端末１２０は、スマートフォンであるとして説明したが、これに限定されない。図９に示すように、確認端末３２０は、磁気カードでもよい。この場合、確認端末３２０には、手順コードに相当する手順情報が磁気記録されている。照合装置３３０は、磁気カードを挿入するスロット３３５を有し、手順情報を読み込んで、設備コードと合致するか否かを判定する機能を有する。判定結果は、表示部３３７で表示される。なお、図９では、照合装置３３０の解除設定操作部を省略して示している。
【００５３】
＝＝＝まとめ＝＝＝
以上説明したように、本実施形態に係る操作支援システム１００は、第１操作設備（断路器１１１０）の操作手順を示す手順コードと、操作設備１１００（例えば断路器１１１０）の後に操作される操作設備１１００（例えば遮断器１１２０）の操作手順を示す手順コードと、を有する確認端末１２０と、操作設備１１００（例えば断路器１１１０）の操作ができる状態に切り替えるためのロック機構１１３０（例えば第１ロック機構１１３１）を操作できるように切り替える機能を備え、操作設備１１００（例えば断路器１１１０）を示す設備コードを有し、該設備コードと、確認端末１２０から読み込まれる手順コードと、を照合する照合装置１３０（例えば第１照合装置１３０ａ）と、操作設備１１００（例えば遮断器１１２０）の操作ができる状態に切り替えるためのロック機構１１３０（例えば第２ロック機構１１３２）を操作できるように切り替える機能を備え、操作設備１１００（例えば遮断器１１２０）を示す設備コードを有し、該設備コードと、確認端末１２０から読み込まれる手順コードと、を照合する照合装置１３０（例えば第２照合装置１３０ｂ）と、を備え、確認端末１２０は、照合装置１３０（例えば第１照合装置１３０ａ）において設備コードと手順コード（ｋ）とが合致したと判定された場合、手順コード（ｋ＋１）を読み出すように動作し、照合装置１３０（例えば第１照合装置１３０ａ）は、設備コードと手順コードとが合致した場合、ロック機構１１３０（例えば第１ロック機構１１３１）を操作できるように切り替え、照合装置１３０（例えば第２照合装置１３０ｂ）は、設備コードと手順コードとが合致した場合、ロック機構１１３０（例えば第２ロック機構１１３２）を操作できるように切り替える。
【００５４】
本実施形態によれば、操作手順通りに認証された場合にのみ、ロック機構１１３０を操作できるように切り替えるため、操作手順から逸脱した手順による操作設備の誤操作を防止できる。操作手順とおりに認証された場合にのみ、ロック機構１１３０を操作できない状態に切り替えることも同様である。
【００５５】
又、本実施形態に係る操作支援システム１００の支援の対象とする操作設備は、電気所１０００に設置される設備である。本実施形態によれば、電気所１０００における点検操作においての誤操作を防止できる。
【００５６】
又、本実施形態に係る操作支援システム１００の確認端末１２０は、スマートフォンであり、手順コードは、確認端末１２０の表示部１２６に表示されるＱＲコードである。本実施形態によれば、汎用のスマートフォンを用いるため、安価かつ容易にシステムを構築できる。
【００５７】
又、本実施形態に係る操作支援システム１００は、手順コードを作成するとともに、手順コードを確認端末１２０に送信する支援装置１１０をさらに備え、確認端末１２０は、支援装置１１０から送信される手順コードを受信する。本実施形態によれば、手順コードを管理する支援装置１１０を備えるため、保守管理がしやすくなる。
【００５８】
又、本実施形態に係る操作支援システム１００の確認端末２２０は、スマートカードであり、手順コードは、確認端末２２０のＩＣチップに格納されている。本実施形態によれば、汎用のスマートカードを用いるため、安価かつ容易にシステムを構築できる。
【００５９】
又、本実施形態に係る操作支援システム１００の確認端末３２０は、磁気カードであり、手順コードは、磁気カードに記録されている磁気データである。本実施形態によれば、汎用の磁気カードを用いるため、安価かつ容易にシステムを構築できる。
【００６０】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００６１】
１００  操作支援システム
１１０  支援装置
１２０，２２０，３２０  確認端末
１２６  表示部
１３０  照合装置
１０００  電気所
１１００  操作設備
１１３０  ロック機構
【図１】
2019003294.tif 000003
【図２】
2019003294.tif 000004
【図３】
2019003294.tif 000005
【図４】
2019003294.tif 000006
【図５】
2019003294.tif 000007
【図６】
2019003294.tif 000008
【図７】
2019003294.tif 000009
【図８】
2019003294.tif 000010
【図９】
2019003294.tif 000011